(57)【要約】【課題】複数の種類の情報記憶媒体で情報処理装置にログインすることができる仕組みであっても、ログイン後の情報処理装置で適切な機能を提供すること。【解決手段】本発明の情報処理装置は、情報処理装置にログインするためのログイン情報を記憶する複数種類の情報記憶媒体のいずれかから当該ログイン情報を取得することで、情報処理装置にログインさせるよう制御し、情報記憶媒体の種類と、ログイン後の前記情報処理装置で実行可能な機能とを対応付けて記憶しログイン制御に用いられた情報記憶媒体の種類を特定する。特定された種類に対応して実行可能に記憶される機能を、情報処理装置のログイン後に実行可能に制御する。【選択図】図１
2018075821.tif 000002
【特許請求の範囲】
【請求項１】
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行可能な機能とを対応付けて記憶する記憶手段と、
前記ログイン制御手段でのログイン制御に用いられた情報記憶媒体の種類を特定する特定手段と、
前記特定手段で特定された前記種類に対応して前記記憶手段で実行可能に記憶される前記機能を、前記情報処理装置のログイン後に実行可能に制御する制御手段と
を備えることを特徴とする情報処理装置。
【請求項２】
前記情報記憶媒体の種類は、データを計測する計測部を備える種類である第１種類と、前記計測部を備えない第２種類とがあり、
前記記憶手段は、前記第１種類に前記計測部で計測された前記データを取得して外部サーバに送信する機能を対応付けて記憶しており、
前記制御手段は、前記特定手段で特定された情報記憶媒体の種類が前記第１種類である場合には、前記計測部で計測された前記データを取得して外部サーバに送信する機能を実行するよう制御すること
を特徴とする請求項１に記載の情報処理装置。
【請求項３】
前記情報処理装置は、前記情報記憶媒体から情報を読み取り可能な読取部と通信可能な情報処理装置であって、
前記機能は、前記読取部で前記情報記憶媒体から情報が読み取れなくなった場合に情報処理装置のログイン状態をログアウトさせる機能であること
を特徴とする請求項１または２に記載の情報処理装置。
【請求項４】
前記読取部で前記情報記憶媒体から情報が読み取れなくなった場合とは、前記読取部で前記情報記憶媒体の情報が取得できなくなって所定時間経過した場合であること
を特徴とする請求項３に記載の情報処理装置。
【請求項５】
前記記憶手段は、前記種類に、ログイン後の前記情報処理装置で実行不可能な機能も対応付けて記憶しており、
前記制御手段は、前記情報処理装置のログインの後に、前記特定手段で特定された前記種類に対応して前記記憶手段で実行可能に記憶される機能を実行可能に制御し、当該種類に対応して前記記憶手段で実行不可能に記憶される機能を実行不可能に制御すること
を特徴とする請求項１乃至４のいずれか１項に記載の情報処理装置。
【請求項６】
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行不可能な機能とを対応付けて記憶する記憶手段と、
前記ログイン制御手段でのログイン制御に用いられた情報記憶媒体の種類を特定する特定手段と、
前記特定手段で特定された前記種類に対応して前記記憶手段で実行不可能に記憶される前記機能を、前記情報処理装置のログイン後に実行不可能に制御する制御手段と
を備えることを特徴とする情報処理装置。
【請求項７】
前記制御手段は実行不可能に制御する場合に前記機能が実行不可能であることを通知するよう制御すること
を特徴とする請求項５または６に記載の情報処理装置。
【請求項８】
情報処理装置が、
情報処理装置にログインするためのログイン情報を記憶する複数種類の情報記憶媒体のいずれかから当該ログイン情報を取得することで、情報処理装置にログインさせるよう制御するログイン制御ステップと、
前記情報記憶媒体の種類と、ログイン後の前記情報処理装置で実行可能な機能とを対応付けて記憶する記憶手段と、
前記ログイン制御ステップでのログイン制御に用いられた情報記憶媒体の種類を特定する特定ステップと、
前記特定ステップで特定された前記種類に対応して前記記憶手段で実行可能に記憶される前記機能を、前記情報処理装置のログイン後に実行可能に制御する制御ステップと
を備えることを特徴とする情報処理装置の制御方法。
【請求項９】
情報処理装置を、
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行可能な機能とを対応付けて記憶する記憶制御手段と、
前記ログイン制御手段でのログイン制御に用いられた情報記憶媒体の種類を特定する特定手段と、
前記特定手段で特定された前記種類に対応して前記記憶制御手段で実行可能に記憶される前記機能を、前記情報処理装置のログイン後に実行可能に制御する制御手段
として機能させることを特徴とする情報処理装置で実行可能なプログラム。
【請求項１０】
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行可能な機能とを対応付けて記憶する記憶手段と、
前記ログイン制御手段でのログイン制御に用いられた情報記憶媒体の種類を特定する特定手段と、
前記特定手段で特定された前記種類に対応して前記記憶手段で実行可能に記憶される前記機能を、前記情報処理装置のログイン後に実行可能に制御する制御手段と
を備えることを特徴とする情報処理システム。
【請求項１１】
情報処理システムが、
情報処理装置にログインするためのログイン情報を記憶する複数種類の情報記憶媒体のいずれかから当該ログイン情報を取得することで、情報処理装置にログインさせるよう制御するログイン制御ステップと、
前記情報記憶媒体の種類と、ログイン後の前記情報処理装置で実行可能な機能とを対応付けて記憶する記憶制御ステップと、
前記ログイン制御ステップでのログイン制御に用いられた情報記憶媒体の種類を特定する特定ステップと、
前記特定ステップで特定された前記種類に対応して前記記憶制御ステップで実行可能に記憶される前記機能を、前記情報処理装置のログイン後に実行可能に制御する制御ステップと
を備えることを特徴とする情報処理システムの制御方法。
【請求項１２】
情報処理システムを、
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行可能な機能とを対応付けて記憶する記憶制御手段と、
前記ログイン制御手段でのログイン制御に用いられた情報記憶媒体の種類を特定する特定手段と、
前記特定手段で特定された前記種類に対応して前記記憶制御手段で実行可能に記憶される前記機能を、前記情報処理装置のログイン後に実行可能に制御する制御手段
として機能させることを特徴とする情報処理システムで実行可能なプログラム。
【請求項１３】
情報処理装置が、
情報処理装置にログインするためのログイン情報を記憶する複数種類の情報記憶媒体のいずれかから当該ログイン情報を取得することで、情報処理装置にログインさせるよう制御するログイン制御ステップと、
前記情報記憶媒体の種類と、ログイン後の前記情報処理装置で実行不可能な機能とを対応付けて記憶する記憶制御ステップと、
前記ログイン制御ステップでのログイン制御に用いられた情報記憶媒体の種類を特定する特定ステップと、
前記特定ステップで特定された前記種類に対応して前記記憶制御ステップで実行不可能に記憶される前記機能を、前記情報処理装置のログイン後に実行不可能に制御する制御ステップと
を備えることを特徴とする情報処理装置の制御方法。
【請求項１４】
情報処理装置を、
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行不可能な機能とを対応付けて記憶する記憶制御手段と、
前記ログイン制御手段でのログイン制御に用いられた情報記憶媒体の種類を特定する特定手段と、
前記特定手段で特定された前記種類に対応して前記記憶制御手段で実行不可能に記憶される前記機能を、前記情報処理装置のログイン後に実行不可能に制御する制御手段
として機能させることを特徴とする情報処理装置で実行可能なプログラム。
【請求項１５】
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行不可能な機能とを対応付けて記憶する記憶手段と、
前記ログイン制御手段でのログイン制御に用いられた情報記憶媒体の種類を特定する特定手段と、
前記特定手段で特定された前記種類に対応して前記記憶手段で実行不可能に記憶される前記機能を、前記情報処理装置のログイン後に実行不可能に制御する制御手段と
を備えることを特徴とする情報処理システム。
【請求項１６】
情報処理システムが、
情報処理装置にログインするためのログイン情報を記憶する複数種類の情報記憶媒体のいずれかから当該ログイン情報を取得することで、情報処理装置にログインさせるよう制御するログイン制御ステップと、
前記情報記憶媒体の種類と、ログイン後の前記情報処理装置で実行不可能な機能とを対応付けて記憶する記憶制御ステップと、
前記ログイン制御ステップでのログイン制御に用いられた情報記憶媒体の種類を特定する特定ステップと、
前記特定ステップで特定された前記種類に対応して前記記憶制御ステップで実行不可能に記憶される前記機能を、前記情報処理装置のログイン後に実行不可能に制御する制御ステップと
を備えることを特徴とする情報処理システムの制御方法。
【請求項１７】
情報処理システムを、
情報処理装置にログインするためのログイン情報を記憶する複数種類の情報記憶媒体のいずれかから当該ログイン情報を取得することで、情報処理装置にログインさせるよう制御するログイン制御手段と、
前記情報記憶媒体の種類と、ログイン後の前記情報処理装置で実行不可能な機能とを対応付けて記憶する記憶制御手段と、
前記ログイン制御手段でのログイン制御に用いられた情報記憶媒体の種類を特定する特定手段と、
前記特定手段で特定された前記種類に対応して前記記憶制御手段で実行不可能に記憶される前記機能を、前記情報処理装置のログイン後に実行不可能に制御する制御手段
として機能させることを特徴とする情報処理システムで実行可能なプログラム。
【発明の詳細な説明】
【技術分野】
【０００１】
本発明は、複数の種類の情報記憶媒体で情報処理装置にログインすることができる仕組みであっても、ログイン後の情報処理装置で適切な機能を提供することができる情報処理装置、情報処理装置の制御方法、情報処理システム、情報処理システムの制御方法、及びプログラムに関するものである。
【背景技術】
【０００２】
ユーザが身に着けている間の運動状況を示す健康データ（例えばユーザの歩数や歩行時間など）を取得して記憶することのできる健康管理端末が存在している。近年の健康志向の高まりから、このような健康管理端末で取得されるデータを蓄積して、ユーザの健康管理に役立てる仕組みが考えられている。
【０００３】
特許文献１には、認証機器により画像形成装置（プリンタ）への認証処理を行った後に、無線通信機能付きの計測器（歩数計、ヘルスメータ、体組成計、血圧計等）を用いて測定したバイタルデータ（健康データ）を、画像形成装置に取り込んで、画像形成装置内のデータベースに蓄積し、社員の健康管理を支援する健康管理システムが記載されている。
【先行技術文献】
【特許文献】
【０００４】
【特許文献１】特開２０１３−２１８５６１号公報
【発明の概要】
【発明が解決しようとする課題】
【０００５】
ところで、画像形成装置には、読み取り部であるカードリーダを介してＩＣカードを読み取ることでユーザ認証を行い、画像形成装置にログインさせる仕組みがある。上述したような健康管理端末にもＩＣカードと同様の認証機能を持たせることで、健康管理端末を用いて画像形成装置に対してログインできるようになるとともに、画像形成装置を介して健康管理端末に蓄積されたデータを外部のサーバに送付することもできるようになる。すなわち、ユーザはＩＣカードと健康管理端末とのいずれの媒体であっても画像形成装置に対してログインすることが可能となる。
【０００６】
ＩＣカードによる画像形成装置へのログインの場合、画像形成装置のカードリーダを通じてＩＣカードを読み取ることで画像形成装置へのログインが完了し、ユーザがログアウト操作をしない限り、画像形成装置の各種機能（コピー、ファクス、スキャン等）の利用が許可される。
【０００７】
一方で、健康管理端末により画像形成装置へログインした場合には、画像形成装置が健康管理端末内から取得した健康管理データや、マイナンバーなどのユーザの機微情報が画像形成装置の画面上で閲覧可能な状態となる。ログイン後の処理をＩＣカードでログインされた場合と同様の仕組みにしてしまうと、例えばユーザが健康管理端末で画像形成装置にログインをした後、ログアウト操作を行わずに画像形成装置から離れてしまった場合、ログイン中のユーザではない第三者がログイン中の画像形成装置でユーザの機微情報を見たり、印刷をしたりすることができてしまうという問題が生じる。
また、健康管理端末でログインを行った後に、ユーザは健康管理端末に蓄積された健康データを画像形成装置に取得させるために取得指示を行わなければならず、手間である。
【０００８】
しかし、上述した特許文献１の仕組みでは、必ず画像形成装置にログインして健康管理データを取得する仕組みが開示されているにすぎず本発明の課題を解決することはできない。
【０００９】
そこで、本発明の目的は、情報処理装置へのログインするための情報記憶媒体の種類に応じて、ログイン後の情報処理装置で適切な機能を提供することができる仕組みを提供することである。
【課題を解決するための手段】
【００１０】
本発明は、情報処理装置にログインするためのログイン情報を記憶する複数種類の情報記憶媒体のいずれかから当該ログイン情報を取得することで、情報処理装置にログインさせるよう制御するログイン制御手段と、前記情報記憶媒体の種類と、ログイン後の前記情報処理装置で実行可能な機能とを対応付けて記憶する記憶手段と、前記ログイン制御手段でのログイン制御に用いられた情報記憶媒体の種類を特定する特定手段と、前記特定手段で特定された前記種類に対応して前記記憶手段で実行可能に記憶される前記機能を、前記情報処理装置のログイン後に実行可能に制御する制御手段とを備えることを特徴とする。
【発明の効果】
【００１１】
本発明によれば、情報処理装置へのログインするための情報記憶媒体の種類に応じて、ログイン後の情報処理装置で適切な機能を提供することができる。
【図面の簡単な説明】
【００１２】
【図１】本実施形態の画像形成装置を適用可能なシステムの構成図
【図２】認証サーバ、外部サーバのハードウェア構成図
【図３】画像形成装置のハードウェア構成図
【図４】健康管理端末のハードウェア構成を例示する図
【図５】本発明のシステムの機能構成図
【図６Ａ】実施形態１のシステムで実行される処理のフローチャート
【図６Ｂ】実施形態１のシステムで実行される処理のフローチャート
【図６Ｃ】実施形態１のシステムで実行される処理のフローチャート
【図７】ログイン中でないユーザの活動量データ送信処理のフローチャート
【図８Ａ】実施形態２のシステムで実行される処理のフローチャート
【図８Ｂ】実施形態２のシステムで実行される処理のフローチャート
【図８Ｃ】実施形態２のシステムで実行される処理のフローチャート
【図９】本実施形態の表示画面を例示する図
【図１０】本実施形態の認証テーブルを例示する図
【図１１】本実施形態の活動量データを例示する図
【図１２】本自紙形態の表示画面を例示する図
【図１３】実施形態３のシステムで実行される処理のフローチャート
【図１４】管理テーブル１４００を例示する図
【発明を実施するための形態】
【００１３】
以下、図面を参照して、発明を実施するための形態について詳細に説明する。
【００１４】
［実施形態１］
図１は、本発明の一実施形態を示す画像形成装置を適用可能なシステムの構成を例示する図である。
図１に示すように、本実施形態のシステムは、カードリーダ３１０を備える画像形成装置３００（情報処理装置）、認証サーバ１００、外部サーバ２００、健康管理端末４００を含む。なお、認証サーバ１００は、画像形成装置３００内のサービスとして実行する構成であってもよい。
【００１５】
本実施形態のシステムでは、画像形成装置３００、認証サーバ１００、外部サーバ２００がローカルエリアネットワーク（ＬＡＮ）６００を介して接続される構成となっている。なお、本実施形態のシステムを構成する各機器が、ローカルネットワークに限らずインターネットを介して通信可能な構成であってもよい。
【００１６】
画像形成装置３００は、カードリーダ３１０（読取部）にかざされたＩＣカードや健康管理端末４００等の情報記憶媒体の識別情報（カードＩＤ、ログイン情報）を基に、認証されたことを受けてログイン状態の間であれば、不図示のプリントサーバやマスストレージから、認証（ログイン）されたユーザに対応する印刷データを受信し、紙に出力したり、ファクスを送信したり（各種処理）することが可能な装置である。即ち、画像形成装置３００は、ユーザが所持するＩＣカード等から取得されるカードＩＤを用いてログイン可能である。なお、画像形成装置３００は、カードリーダ３１０のほか、画像形成装置３００上のタッチパネルで、ソフトキーボードを用いて、ユーザＩＤとパスワードを入力し、認証を実行してログイン可能な構成となっている。
【００１７】
認証サーバ１００は、ＩＣカード認証やキーボード認証によるユーザ認証を実行するための認証テーブル（例えば後述する図１０）を記憶している。
【００１８】
健康管理端末４００は、利用者の活動量等のデータ（健康管理情報）を測定する携帯型の活動量計である。利用者が健康管理端末４００を携帯した状態で歩行や走行等を行うことで、健康管理端末４００により活動量データ（例えば後述する図１１）が計測・蓄積される。
【００１９】
外部サーバ２００は、ユーザ毎に健康管理端末４００で計測された活動量データを蓄積し管理するサーバである。例えば、外部サーバ２００は、健康管理端末４００から計測・蓄積された活動量データを基にユーザの健康状態に関してレポートを作成する機能などを有する。
健康管理端末４００によって画像形成装置３００にログインした場合にのみ、健康管理端末４００から取得された活動量データや、外部サーバ２００で作成されるレポートが、閲覧や印刷が可能となっている。これは活動量データやレポートはユーザの体重などのセンシティブな情報が記載されていたり、場合によってはマイナンバー等の機密情報が含まれていることもあるためである。
【００２０】
図２は、認証サーバ１００、外部サーバ２００のハードウェア構成を例示する図である。
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ Ｉｎｐｕｔ／Ｏｕｔｐｕｔ Ｓｙｓｔｅｍ）やオペレーティングシステムプログラム（以下、ＯＳ）や、各サーバ或いは各ＰＣの実行する機能を実現するために必要な各種プログラム等が記憶されている。なお、認証サーバ１００の外部メモリ２１１には、認証テーブルも記憶されている。認証テーブルの一例を図１０に示す。
【００２１】
図１０は、本実施形態の認証テーブルを例示する図である。
図１０に示すように、本実施形態の認証テーブルは、ユーザ名、カードＩＤ等の情報から構成されており、１のユーザ名に複数のカードＩＤ（本実施形態ではＩＣカード用のカードＩＤと健康管理端末用のカードＩＤ）が紐付けられて保存されている。
【００２２】
例えば、ユーザ名「ｕｓｅｒＡ」にはＩＣカード用のカードＩＤ「０１１１１１１１１１ＡＢＣＤＥＦ」と、健康管理端末用のカードＩＤ「２２２２２２２２２ＡＢＣＤＥＦ」が対応付けられている。また、ユーザ名「ｕｓｅｒＢ」にはＩＣカード用のカードＩＤ「０１１１１１１１１１ＺＹＸＷＶＵ」と、健康管理端末用のカードＩＤ「２２２２２２２２２ＺＹＸＷＶＵ」が対応付けられている。本実施形態では、健康管理端末用のカードＩＤは、上位３ケタが「２２２」のカードＩＤが割り当てられているものとする。本実施形態では、カードＩＤによって情報記憶媒体の種類を識別するようにしているが、カードリーダ３１０を介して通信を行うときに、情報記憶媒体の種類を識別するための通信を行うことにより、情報記憶媒体の種類を特定するようにしても構わない。
【００２３】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２４】
２０５は入力コントローラで、入力デバイス２０９や不図示のマウス等のポインティングデバイス等からの入力を制御する。２０６はビデオコントローラで、ディスプレイ２１０等の表示器への表示を制御する。なお、表示器は、液晶ディスプレイ、ＣＲＴ、その他の表示器であってもよい。
【００２５】
２０７はメモリコントローラで、ブートプログラム，各種のアプリケーション，フォントデータ，ユーザファイル，編集ファイル，各種データ等を記憶する外部メモリ２１１へのアクセスを制御する。外部メモリ２１１は、例えば、ハードディスク（ＨＤ）や、ソリッドステートドライブ（ＳＳＤ）、フレキシブルディスク（ＦＤ）、或いはＰＣＭＣＩＡカードスロットにアダプタを介して接続されるコンパクトフラッシュ（登録商標）メモリ等である。
【００２６】
２０８は通信Ｉ／Ｆコントローラで、ネットワーク（例えば、図１に示したＬＡＮ６００）を介して外部機器と接続・通信するものであり、ネットワークでの通信制御処理を実行する。通信Ｉ／Ｆコントローラ２０８は、例えば、ＴＣＰ／ＩＰを用いた通信等が可能である。
【００２７】
なお、ＣＰＵ２０１は、例えばＲＡＭ２０２内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。ハードウェア上で動作する各種プログラム（例えば、ブラウザ）は、外部メモリ２１１に記録されており、必要に応じてＲＡＭ２０２にロードされることによりＣＰＵ２０１によって実行されるものである。
【００２８】
図３は、画像形成装置３００のハードウェア構成を例示する図である。
図３において、コントローラユニット３０００は、画像入力デバイスとして機能するスキャナ３０１５や、画像出力デバイスとして機能するプリンタ３０１４と接続されるとともに、図１に示したＬＡＮ６００のようなローカルエリアネットワークや、例えばＰＳＴＮまたはＩＳＤＮ等の公衆回線（ＷＡＮ）と接続することで、画像データやデバイス情報の入出力を制御する。
【００２９】
図３に示すように、コントローラユニット３０００は、ＣＰＵ３００１、ＲＡＭ３００６、ＲＯＭ３００２、外部記憶装置（ハードディスクドライブ（ＨＤＤ））３００７、ネットワークインタフェース（Ｎｅｔｗｏｒｋ Ｉ／Ｆ）３００３、モデム（ＭＯＤＥＭ）３００４、操作部インタフェース（操作部Ｉ／Ｆ）３００５、外部インタフェース（外部Ｉ／Ｆ）３００９、イメージバスインタフェース（ＩＭＡＧＥ ＢＵＳ Ｉ／Ｆ）３００８、ラスタイメージプロセッサ（ＲＩＰ）３０１０、プリンタインタフェース（プリンタＩ／Ｆ）３０１１、スキャナインタフェース（スキャナＩ／Ｆ）３０１２、画像処理部３０１３等を有する。
【００３０】
ＣＰＵ３００１は、システム全体を制御するプロセッサである。ＲＡＭ３００６は、ＣＰＵ３００１が動作するためのシステムワークメモリであり、プログラムを記録するためのプログラムメモリや、画像データを一時記憶するための画像メモリである。ＲＯＭ３００２は、システムのブートプログラムや各種制御プログラムが格納されている。
【００３１】
外部記憶装置（ハードディスクドライブ（ＨＤＤ））３００７は、システムを制御するための各種プログラム、画像データ等を格納する。また、ＨＤＤ３００７は、各種テーブルを記憶している。
【００３２】
操作部インタフェース（操作部Ｉ／Ｆ）３００５は、操作部（ＵＩ）３０１８とのインタフェース部であり、操作部３０１８に表示する画像データを操作部３０１８に対して出力する。また、操作部Ｉ／Ｆ３００５は、操作部３０１８から本システム使用者が入力した情報（例えば、ユーザ情報等）をＣＰＵ３００１に伝える役割をする。なお、操作部３０１８は、タッチパネルを有する表示部を備え、該表示部に表示されたボタンを、ユーザが押下（指等でタッチ）することにより、各種指示を行うことができる。
【００３３】
ネットワークインタフェース（Ｎｅｔｗｏｒｋ Ｉ／Ｆ）３００３は、ネットワーク（ＬＡＮ）に接続し、データの入出力を行なう。モデム（ＭＯＤＥＭ）３００４は、公衆回線に接続し、ＦＡＸの送受信等のデータの入出力を行う。外部インタフェース（外部Ｉ／Ｆ）３００９は、ＵＳＢ、ＩＥＥＥ１３９４、プリンタポート、ＲＳ−２３２Ｃ等の外部入力を受け付けるインタフェース部である。本実施形態では、外部Ｉ／Ｆ３００９に、認証で必要となるＩＣカード読み取り用のカードリーダ３１０が接続されている。
【００３４】
ＣＰＵ３００１は、外部Ｉ／Ｆ３００９を介してカードリーダ３１０によるＩＣカードからの情報読み取りを制御し、該ＩＣカードから読み取られた情報を取得可能である。なお、ＩＣカードに限らず、ユーザを特定することが可能な記憶媒体であれば、例えば磁気カードのような他の記憶媒体でもよい。この場合、記憶媒体には、ユーザを識別するための識別情報が記憶される。この識別情報は、記憶媒体の製造番号でも、ユーザが企業内で与えられるユーザコードであってもよい。以上のデバイスがシステムバス上に配置される。
【００３５】
一方、イメージバスインタフェース（ＩＭＡＧＥ ＢＵＳ Ｉ／Ｆ）３００８は、システムバス３０１６と画像データを高速で転送する画像バス３０１７とを接続し、データ構造を変換するバスブリッジである。画像バス３０１７は、ＰＣＩバスまたはＩＥＥＥ１３９４で構成される。画像バス３０１７上には以下のデバイスが配置される。
【００３６】
ラスタイメージプロセッサ（ＲＩＰ）３０１０は、例えば、ＰＤＬコード等のベクトルデータをビットマップイメージに展開する。プリンタインタフェース（プリンタＩ／Ｆ）３０１１は、プリンタ３０１４とコントローラユニット３０００を接続し、画像データの同期系／非同期系の変換を行う。スキャナインタフェース（スキャナＩ／Ｆ）３０１２は、スキャナ３０１５とコントローラユニット３０００を接続し、画像データの同期系／非同期系の変換を行う。
【００３７】
画像処理部３０１３は、入力画像データに対し、補正、加工、編集を行ったり、プリント出力画像データに対して、プリンタの補正、解像度変換等を行う。また、これに加えて、画像処理部３０１３は、画像データの回転や、多値画像データに対してはＪＰＥＧ、２値画像データはＪＢＩＧ、ＭＭＲ、ＭＨ等の圧縮伸張処理を行う。
【００３８】
スキャナＩ／Ｆ３０１２に接続されるスキャナ３０１５は、原稿となる紙上の画像を照明し、ＣＣＤラインセンサで走査することで、ラスタイメージデータとして電気信号に変換する。原稿用紙を原稿フィーダ（不図示）のトレイにセットし、装置使用者が操作部３０１８から読み取り起動指示することにより、ＣＰＵ３００１がスキャナ３０１５に指示を与え、フィーダが原稿用紙を１枚ずつフィードし、原稿画像の読み取り動作を行う。
【００３９】
プリンタＩ／Ｆ３０１１に接続されるプリンタ３０１４は、ラスタイメージデータを用紙上の画像に変換する部分であり、その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、ＣＰＵ３００１からの指示によって開始する。なお、プリンタ３０１４には、異なる用紙サイズまたは異なる用紙向きを選択できるように複数の給紙段を持ち、それに対応した用紙カセットがある。
【００４０】
操作部Ｉ／Ｆ３００５に接続される操作部３０１８は、液晶ディスプレイ（ＬＣＤ）表示部を有する。ＬＣＤ上にはタッチパネルシートが貼られており、システムの操作画面を表示するとともに、表示してあるキーが押されると、その位置情報を操作部Ｉ／Ｆ３００５を介してＣＰＵ３００１に伝える。また、操作部３０１８は、各種操作キー（ハードキー）として、例えば、スタートキー、ストップキー、ＩＤキー、リセットキー等を備える。
【００４１】
ここで、操作部３０１８のスタートキーは、原稿画像の読み取り動作を開始する時などに用いる。スタートキーの中央部には、緑と赤の２色のＬＥＤがあり、その色によってスタートキーが使える状態であるか否かを示す。また、操作部３０１８のストップキーは、稼動中の動作を止める働きをする。また、操作部３０１８のＩＤキーは、使用者のユーザＩＤを入力する時に用いる。リセットキーは、操作部３０１８からの設定を初期化する時に用いる。
【００４２】
外部Ｉ／Ｆ３００９に接続されるカードリーダ３１０は、ＣＰＵ３００１からの制御により、例えばソニー社のＦｅｌｉＣａ（登録商標）の技術を用いてＩＣカードや健康管理端末４００内に記憶されている情報を読み取り、該読み取った情報を外部Ｉ／Ｆ３００９を介してＣＰＵ３００１へ通知する。
以上で図３に示すハードウェア構成の説明を終了する。
【００４３】
図４は、健康管理端末４００のハードウェア構成を例示する図である。
図４（ａ）及び図４（ｂ）に示すように、健康管理端末４００は、表示部４０１、操作部４０２、制御部４０３、検出部４０４、記憶部４０５、電源部４０６、通信部４０７等を有する。
【００４４】
制御部４０３は、記憶部４０５に記憶されたプログラムを実行することで健康管理端末４００の各要素を制御するものであり、例えばＣＰＵ等で構成される。記憶部４０５は、制御部４０３が実行するプログラムや制御部４０３が使用する各種のデータを記憶するものであり、例えばフラッシュＲＯＭやＲＡＭ等で構成される。電源部４０６は例えば電池であり、健康管理端末４００の各要素に電源を供給する。
【００４５】
図４（ａ）に例示するように、健康管理端末４００の筐体前面側には、表示部４０１と、操作部４０２が設けられている。表示部４０１は例えば液晶表示パネル等であり、制御部４０３による制御のもとで各種の画像を表示する。操作部４０２は、利用者からの指示を受付ける入力機器であり、図４（ａ）に例示される通り、複数のハードキーを含んでいる。なお、表示部４０１と一体に構成されたタッチパネルを操作部４０２として利用することも可能である。
【００４６】
検出部４０４は、健康管理端末４００の移動（利用者の活動）を検出するためのセンサである。検出部４０４は、例えば、健康管理端末４００に作用する加速度Ａを検出する加速度センサ（例えば３軸型加速度センサ）で構成されている。
【００４７】
図４（ｂ）に例示するように、制御部４０３は、記憶部４０５に記憶されたプログラムを実行することで活動量測定部４０３ａ（計測部）として機能する。活動量測定部４０３ａは、検出部４０４が検出した加速度Ａに応じて利用者の活動量Ｅを測定する。具体的には、活動量測定部４０３ａは、加速度Ａを適用した所定の演算で利用者の消費エネルギー等を活動量Ｅとして算定する。活動量Ｅの測定には公知の技術が任意に採用される。本実施形態では、総消費エネルギー量、歩数、歩行時間などが、活動量Ｅとして算出されるものとする。活動量測定部４０３ａが算定した活動量Ｅのデータは、通信部４０７内の不図示の記憶領域に記憶される。
【００４８】
なお、通信部４０７内に記憶された活動量データを、例えば操作部４０２に対する操作を契機として表示部４０１に表示したり、カードリーダ３１０を介して画像形成装置３００に送信することが可能である。活動量データの一例を後述する図１１に示す。
なお、制御部４０３がプログラムの実行で実現する機能の一部または全部は、論理回路で構成される専用の電子回路でも実現される構成であってもよい。
【００４９】
通信部４０７は、例えばソニー社のモバイルＦｅｌｉｃａ（登録商標）ＩＣチップ等の無線モジュールであり、通信制御部４０７ａとアンテナ４０７ｂとを有する。通信制御部４０７ａは、内部に不図示の記憶領域を有し、カードＩＤや活動量データ等を記憶する。なお、通信制御部４０７ａ内に記憶されるカードＩＤは、本実施形態では、上位３ケタが「２２２」のカードＩＤとする。また、活動量データとしては、図１１に示すようなデータが記憶されているものとする。
【００５０】
図１１は、健康管理端末４００の通信部４０７内の不図示の記憶領域に記憶される活動量データを例示する図である。
図１１に示すように、活動量データは、総消費エネルギー、歩数、歩行時間、送信日時などのデータから構成されている。なお、送信日時は、該活動量データが画像形成装置３００を介して外部サーバ２００に送信された日時であり、画像形成装置３００から書き込まれるものである。
【００５１】
通信部４０７は、アンテナ４０７ｂを介したカードリーダ３１０との近距離無線通信（非接触通信）を実行し、通信制御部４０７ａ内の記憶領域（不図示）に記憶されたカードＩＤや活動量データ等を、画像形成装置３００に送信することが可能である。なお、上記説明では、活動量データを通信制御部４０７ａ内の記憶領域に記憶するものとしたが、記憶部４０５に記憶し、通信部４０７を介して画像形成装置３００に送信するように構成してもよい。
【００５２】
図５は、本発明のシステムの機能構成を例示する図である。
画像形成装置３００において、情報取得部３３１は、カードリーダ３１０にかざされているＩＣカードや健康管理端末４００等の情報記憶媒体からカードＩＤ等の情報を取得する。ログイン制御部３３３は、カードＩＤを用いたユーザ認証を認証サーバ１００に依頼し、該認証サーバ１００による認証結果に基づいてログイン処理を行う。また、ログイン制御部３３３は、後述するフローチャートの示すような、ログイン中のユーザとは異なるユーザの情報記憶媒体がかざされた場合の各種ログイン制御を行う。
【００５３】
ユーザ判定部３３４は、カードリーダ３１０にかざされている情報記憶媒体がログイン中のユーザに対応する情報記憶媒体であるか否かを判定する。活動量計判定部３３５は、カードリーダ３１０にかざされている情報記憶媒体が外部サーバ２００に送信すべき活動量データを記憶している健康管理端末４００であるか否かを判定する。活動量データ送信制御部３３６は、健康管理端末４００から取得される活動量データの外部サーバ２００への送信を制御する。画面表示制御部３３７は、後述する図９に示すような画面を表示制御する。
【００５４】
認証サーバ１００において、認証データ管理部１０２は、図１０に示すような認証テーブルを記憶管理する。認証処理部１０１は、画像形成装置３００から受信したカードＩＤと認証テーブルを用いてユーザ認証処理を行う。
外部サーバ２００において、活動量データ登録部２２１は、画像形成装置３００から受信した活動量データをデータベース等に登録し管理する。
なお、健康管理端末４００における、制御部４０３、検出部４０４、通信部４０７は、図４で説明済みのため省略する。
【００５５】
以下、図６Ａ〜図６Ｃを参照して、実施形態１のシステムで実行される処理について説明する。
図６Ａ〜図６Ｃは、実施形態１のシステムで実行される処理を例示するフローチャートである。なお、ステップＳ１００１〜Ｓ１０２８、ステップＳ１１０１〜Ｓ１１０６に示す画像形成装置３００の処理は、画像形成装置３００のＣＰＵ３００１がＲＯＭ３００２等に格納されたプログラムを実行することにより実現される。また、ステップＳ２００１〜Ｓ２００４に示す認証サーバ１００の処理は、認証サーバ１００のＣＰＵ２０１が外部メモリ２１１等に格納されたプログラムを実行することにより実現される。さらに、ステップＳ３００１〜Ｓ３００２に示す外部サーバ２００の処理は、外部サーバ２００のＣＰＵ２０１が外部メモリ２１１等に格納されたプログラムを実行することにより実現される。
【００５６】
ステップＳ１００１では、画像形成装置３００は、ＩＣカードをかざして複合機にログインする旨を表示した認証画面を表示する。なお、ステップＳ１００１の時点では、画像形成装置３００にログインしているユーザはいないものとする。
【００５７】
ステップＳ１００２では、画像形成装置３００は、ユーザによって情報記憶媒体（ＩＣカード、健康管理端末４００等）がカードリーダ３１０にかざされたか定期的に検知する処理を実行する。画像形成装置３００は、情報記憶媒体がかざされたことを検知するまで、ステップＳ１００２の処理を繰り返す。
そして、情報記憶媒体がかざされことを検知した場合、画像形成装置３００は、ステップＳ１００３へ処理を移す。
【００５８】
ステップＳ１００３では、画像形成装置３００は、カードリーダ３１０を介して、ユーザによってかざされた情報記憶媒体のカードＩＤを取得する。
次に、ステップＳ１００４では、画像形成装置３００は、上記ステップＳ１００３で取得したカードＩＤを、認証サーバ１００に対して送信する。
【００５９】
ステップＳ２００１では、認証サーバ１００は、画像形成装置３００から送信されたカードＩＤを受信すると、該受信したカードＩＤを、ＩＣカード認証用テーブルのカードＩＤと照合することにより認証処理を行う（カードＩＤを使用して検索を行い、該当するユーザ情報の取得を行う）。
次に、ステップＳ２００２では、認証サーバ１００は、上記ステップＳ２００１での認証結果を画像形成装置３００に対して送信する。なお、認証サーバ１００は、認証に成功した場合、認証結果に該当するユーザの情報を含めて、画像形成装置３００に送信するものとする。
【００６０】
ステップＳ１００５において、画像形成装置３００は、認証サーバ１００から送信された認証結果を受信すると、ステップＳ１００６へ処理を移す。
ステップＳ１００６では、画像形成装置３００は、上記ステップＳ１００５で受信した認証結果を判定する。そして、認証に失敗したと判定した場合（Ｓ１００６でＮｏの場合）、画像形成装置３００は、ステップＳ１１０１へ処理を移す。
ステップＳ１１０１では、画像形成装置３００は、認証失敗画面（不図示）を表示し、本フローチャートの処理を終了する。
【００６１】
一方、上記ステップＳ１００６において、認証に成功したと判定した場合（Ｓ１００６でＹｅｓの場合）、画像形成装置３００は、ステップＳ１００７へ処理を移す。
ステップＳ１００７では、画像形成装置３００は、上記ステップＳ１００５で受信した認証結果に含まれるユーザ情報を画像形成装置３００内の特定の記憶領域に格納する。
次に、ステップＳ１００８では、画像形成装置３００は、上記ステップＳ１００３で取得したカードＩＤを画像形成装置３００内の特定の記憶領域に格納する。
【００６２】
ステップＳ１００９では、画像形成装置３００は、画像形成装置３００内の特定領域に格納したユーザ情報で画像形成装置３００にログインを行う。
ステップＳ１０１０では、画像形成装置３００は、ログイン後の画面としてメニュー画面（例えば後述する図９に示す画面Ａ）を表示する。
図９は、本実施形態においてディスプレイ２１０に表示される画面を例示する図である。
【００６３】
ステップＳ１０１１では、画像形成装置３００は、画像形成装置３００の特定領域に格納したカードＩＤを参照し、カード検知時にかざされた情報記憶媒体が活動量計（健康管理端末４００）であるか否かを確認する。ここでは、カードＩＤに健康管理端末４００を示す識別子（本実施形態では上位３ケタが「２２２」）があるか否かで判定するものとするが、カードリーダ３１０を介して取得できる情報であればどのような情報に基づいて確認してもよい。
【００６４】
そして、かざされた情報記憶媒体が活動量計（健康管理端末４００）でないと判定した場合（Ｓ１０１１でＮｏの場合）、画像形成装置３００は、ステップＳ１０１７へ処理を移す。ステップＳ１０１７については後述する。
一方、かざされた情報記憶媒体が活動量計（健康管理端末４００）であると判定した場合（Ｓ１０１１でＹｅｓの場合）、画像形成装置３００は、ステップＳ１０１２へ処理を移す。
【００６５】
ステップＳ１０１２では、画像形成装置３００は、カードリーダ３１０にかざされた健康管理端末４００に、未送信の活動量データが存在するか否かを確認する。未送信の活動量データの存在は、例えば、活動量データに記載されている送信日時に基づいて判断してもよいし、他の方法で判断してもよい。
【００６６】
図１１は、健康管理端末４００内に記憶されている活動量データを例示する図である。
図１１に示すように、活動量データは、総消費エネルギー、活動エネルギー量、歩数、歩行時間、送信日時などのデータから構成されている。なお、送信日時は、該活動量データが画像形成装置３００を介して外部サーバ２００に送信された日時であり、画像形成装置３００から書き込まれるものとする。
【００６７】
上記ステップＳ１０１２において、未送信の活動量データが存在しないと判定した場合（Ｓ１０１２でＮｏの場合）、画像形成装置３００は、ステップＳ１０２７へ処理を移す。なお、ステップＳ１０２７については後述する。
【００６８】
一方、未送信の活動量データが存在すると判定した場合（Ｓ１０１２でＹｅｓの場合）、画像形成装置３００は、ステップＳ１０１３へ処理を移す。
ステップＳ１０１３では、画像形成装置３００は、カードリーダ３１０を介して、上記未送信の活動量データを健康管理端末４００から取得し、該取得した活動量データを、外部サーバ２００に送信する（送信手段に相当する）。
【００６９】
ステップＳ３００１において、外部サーバ２００は、画像形成装置３００から活動量データを受信すると、ステップＳ３００２へ処理を移す。
ステップＳ３００２では、外部サーバ２００は、上記ステップＳ３００１で受信した活動量データを、外部サーバ２００が管理する特定の記憶領域に登録し、該登録結果を画像形成装置３００に送信する。
【００７０】
ステップＳ１０１３の後、ステップＳ１０１４において、画像形成装置３００は、該活動量データを送信した日時を、該送信した活動量データの送信日時として、カードリーダ３１０を介して、健康管理端末４００内に記憶されている活動量データ内に書き込む。
次に、ステップＳ１０１５において、画像形成装置３００は、メニュー画面の「活動量データ送信」ボタン９０１が押下されたか否かを確認する。そして、「活動量データ送信」ボタン９０１が押下されたと判定した場合（Ｓ１０１５でＹｅｓの場合）、画像形成装置３００は、ステップＳ１１０７へ処理を移す。
【００７１】
ステップＳ１１０７では、画像形成装置は、活動量データの送信状態確認画面を表示する。なお、活動量データの送信完了前（外部サーバ２００から活動量データの登録結果を受信する前）では、活動量データの送信状態確認画面として図９の画面Ｂを表示する。一方、活動量データの送信完了後（外部サーバ２００から活動量データの登録結果を受信した後）では、活動量データの送信状態確認画面として画面Ｃを表示する。活動量データの送信状態確認画面において「ＯＫ」ボタン（画面Ｂの場合９１１、画面Ｃの場合９２１）が押下されると、画像形成装置３００は、ステップＳ１０１６へ処理を移す。
【００７２】
一方、「活動量データ送信」ボタン９０１が押下されていないと判定した場合（Ｓ１０１５でＮｏの場合）、画像形成装置３００は、そのままステップＳ１０１６へ処理を移す。
【００７３】
ステップＳ１０１６では、画像形成装置３００は、カードリーダ３１０の読み取り領域から健康管理端末４００（活動量計）が外されたか否かを確認する。
そして、健康管理端末４００（活動量計）が外されていないと判定した場合（Ｓ１０１６でＮｏの場合）、画像形成装置３００は、健康管理端末４００（活動量計）がカードリーダ３１０の読み取り領域から外されるまで、ステップＳ１０１６の処理を継続する。なお、ステップＳ１０１６の処理を継続中であっても、画像形成装置３００は、画像形成装置３００上の操作（コピー、プリント、ログアウト等）に対しても処理を実行可能である。
【００７４】
一方、健康管理端末４００（活動量計）が外されたと判定した場合（Ｓ１０１６でＹｅｓの場合）、画像形成装置３００は、ステップＳ１０２８へ処理を移し、ログアウトを行い、本フローチャートの処理を終了する。
このように、健康管理端末４００がカードリーダ３１０の読み取り領域から外された場合にはログイン中の画像形成装置３００をログアウトさせることにより、例えばユーザの健康状態を示すレポート（健康管理端末４００に記憶された情報によってアクセス可能な外部サーバに記憶されている情報）など、健康管理端末４００でログイン中のユーザのみに閲覧させたい情報が、ログイン中のユーザのログアウト処理のし忘れ等によって他のユーザに閲覧されてしまうことを防ぐ効果がある。更に、健康管理端末４００から活動量データを取得して処理が完了するのに時間が掛かるため、カードリーダ３１０にかざし続けなければ画像形成装置３００のログイン状態を維持できないようにすることで、活動量データを取得して処理が完了する前にカードリーダ３１０から健康管理端末４００がユーザに外されないようにする効果がある。
他の実施形態としては、健康管理端末４００が外されたと判定された場合に、ログアウトさせずに画像形成装置３００が操作不可能なように、操作画面をロックしてしまう方法でもよい。例えば図１２の画面Ｅのような画面を操作部３０１８に表示することができ、これにより健康管理端末４００がカードリーダ３１０から外された場合に他のユーザに機微情報を閲覧されることを防ぐ効果がある。
他の実施形態としては、カードリーダ３１０に健康管理端末４００がかざされていない状態で機微情報を表示する指示を行った場合に、機微情報の表示を行わないようにマスク表示をするよう制御してもよい。
なお、カードリーダ３１０の読み取り領域から健康管理端末４００（活動量計）が外されたか否かの判定は、読み取り領域から健康管理端末４００（活動量計）が外されて所定時間経過した場合に、カードリーダ３１０の読み取り領域から健康管理端末４００（活動量計）が外されたと判定するようにしてもよい。
【００７５】
また、上述したように、上記ステップＳ１０１１において、かざされた情報記憶媒体が活動量計（健康管理端末４００）でないと判定した場合（Ｓ１０１１でＮｏの場合）、画像形成装置３００は、ステップＳ１０１７へ処理を移す。
【００７６】
そして、ステップＳ１０１７では、画像形成装置３００は、画像形成装置３００の特定領域に格納したカードＩＤと異なるカードＩＤの情報記憶媒体がかざされていることを検知した（異なる情報記憶媒体を検知した）か否かを判定する。つまり、健康管理端末４００によるログインではない場合（ＩＣカードによるログインの場合）には、カードリーダ３１０からＩＣカードが外されたとしてもログアウトされることなくログイン状態を継続するようになっている。ここでは、一度ＩＣカードが外されたあと、異なるカードＩＤのＩＣカードがかざされたか否かを判定している。
そして、同じカードＩＤの情報記憶媒体がかざされている（異なる情報記憶媒体を検知していない）と判定した場合（Ｓ１０１７でＮｏの場合）、画像形成装置３００は、ステップＳ１０２７へ処理を移す。ステップＳ１０２７については後述する。
【００７７】
一方、画像形成装置３００の特定領域に格納したカードＩＤと異なるカードＩＤの情報記憶媒体がかざされていることを検知した（異なる情報記憶媒体を検知した）と判定した場合（Ｓ１０１７でＹｅｓの場合）、画像形成装置３００は、ステップＳ１０１８へ処理を移す。
【００７８】
ステップＳ１０１８では、画像形成装置３００は、カードリーダ３１０を介して、ユーザによってかざされている情報記憶媒体のカードＩＤを取得する。
次に、ステップＳ１１０９では、画像形成装置３００は、上記ステップＳ１１０８で取得したカードＩＤを、認証サーバ１００に対して送信する。
【００７９】
ステップＳ２００３では、認証サーバ１００は、画像形成装置３００から送信されたカードＩＤを受信すると、該受信したカードＩＤを、ＩＣカード認証用テーブルのカードＩＤと照合することにより認証処理を行う（カードＩＤを使用して検索を行い、該当するユーザ情報の取得を行う）。
次に、ステップＳ２００４では、認証サーバ１００は、上記ステップＳ２００３での認証結果を画像形成装置３００に対して送信する。
【００８０】
ステップＳ１０２０において、画像形成装置３００は、認証サーバ１００から送信された認証結果を受信すると、ステップＳ１０２１へ処理を移す。
ステップＳ１０２１では、画像形成装置３００は、上記ステップＳ１０２０で受信した認証結果を判定する。そして、認証に失敗したと判定した場合（Ｓ１０２１でＮｏの場合）、画像形成装置３００は、ステップＳ１１０２へ処理を移す。
Ｓ１１０２では、画像形成装置３００は、ログアウトを行い、Ｓ１１０３において、認証失敗画面（不図示）を表示し、本フローチャートの処理を終了する。
【００８１】
一方、上記ステップＳ１０２１において、認証に成功したと判定した場合（Ｓ１０２１でＹｅｓの場合）、画像形成装置３００は、ステップＳ１０２２へ処理を移す。
ステップＳ１０２２では、画像形成装置３００は、かざされている情報記憶媒体がログイン中のユーザと異なるユーザの情報記憶媒体か否かを判定する。ログイン中のユーザと異なるか否かを判定する方法は、例えば、上記ステップＳ１０２０で受信した認証結果に含まれるユーザ情報と、画像形成装置３００内の特定領域に格納されているユーザ情報とを比較することにより判定する。
【００８２】
そして、ログイン中のユーザと同じユーザのカードである（異なるユーザのカードでない）と判定した場合（Ｓ１０２２でＮｏの場合）、画像形成装置３００は、ステップＳ１１０４に処理を移す。
ステップＳ１１０４では、画像形成装置３００は、上記ログイン中のユーザと同じユーザの情報記憶媒体から取得したカードＩＤを画像形成装置３００内の特定の記憶領域に格納し、ステップＳ１０１１へ処理を移す。
【００８３】
一方、ログイン中のユーザとは異なるユーザの情報記憶媒体であると判定した場合（Ｓ１０２２でＹｅｓの場合）、画像形成装置３００は、ステップＳ１０２３に処理を移す。
次に、ステップＳ１０２３では、画像形成装置３００は、上記ステップＳ１０１７の情報記憶媒体の検知時にかざされていた情報記憶媒体が健康管理端末４００（活動量計）であるか否かを確認する。具体的には、カードＩＤに健康管理端末４００を示す識別子（本実施形態では上位３ケタが「２２２」）があるか否かで判定する。
【００８４】
そして、かざされた情報記憶媒体が活動量計（健康管理端末４００）でないと判定した場合（Ｓ１０２３でＮｏの場合）、画像形成装置３００は、ステップＳ１１０５へ処理を移す。
ステップＳ１１０５では、画像形成装置３００は、ログアウト処理を行い、ステップＳ１００７へ処理を移し、上述の異なるユーザでログインを行うように制御する。
【００８５】
一方、かざされた情報記憶媒体が活動量計（健康管理端末４００）であると判定した場合（Ｓ１０２３でＹｅｓの場合）、画像形成装置３００は、ステップＳ１０２４へ処理を移す。
ステップＳ１０２４では、画像形成装置３００は、健康管理端末４００をかざした時の確認画面（例えば図９の画面Ｄ）を表示する。
【００８６】
次に、ステップＳ１０２５では、画像形成装置３００は、上記ステップＳ１０２４で表示した健康管理端末４００をかざした時の確認画面で「再ログイン」ボタン９３１、「送信する」ボタン９３２のいずれのボタンが押下されたかを確認する。
【００８７】
そして、「再ログイン」ボタン９３１が押下されたと判定した場合（Ｓ１０２５で「再ログイン」の場合）、画像形成装置３００は、ステップＳ１１０６へ処理を移す。
ステップＳ１１０６では、画像形成装置３００は、ログアウト処理を行い、ステップＳ１００７へ処理を移し、上述の異なるユーザで再ログインを行うように制御する。
【００８８】
一方、「送信する」ボタン９３１が押下されたと判定した場合（Ｓ１０２５で「送信する」の場合）、画像形成装置３００は、ステップＳ１０２６へ処理を移す。
ステップＳ１０２６では、画像形成装置３００は、ログイン中でないユーザの活動量データ送信処理（詳細は図７で後述する）を実行し、ステップＳ１０２７へ処理を移す
【００８９】
ステップＳ１０２７では、画像形成装置３００は、その他操作でログアウトが選択されたか否かを判定する。画像形成装置３００上のログアウト操作とは、例えば画像形成装置３００上の「ログアウト」キー９０２を押下された場合などである。
【００９０】
そして、ログアウトが選択されたと判定した場合（Ｓ１０２７でＹｅｓの場合）、画像形成装置３００は、ステップＳ１０２８へ処理を移す。ステップＳ１０２８では、画像形成装置３００は、ログアウト処理を行い、本フローチャートの処理を終了する。
【００９１】
一方、ログアウトが選択されていないと判定した場合（Ｓ１０２７でＮｏの場合）、画像形成装置３００は、ステップＳ１０１１へ処理を移し、操作を継続可能に制御する。
【００９２】
以下、図７を参照して、ログイン中でないユーザの活動量データ送信処理を説明する。
図７は、図６ＣのステップＳ１０２６に示したログイン中でないユーザの活動量データ送信処理を例示するフローチャートである。なお、ステップＳ１〜Ｓ６に示す画像形成装置３００の処理は、画像形成装置３００のＣＰＵ３００１がＲＯＭ３００２等に格納されたプログラムを実行することにより実現される。また、ステップＳ３００４〜Ｓ３００５に示す外部サーバ２００の処理は、外部サーバ２００のＣＰＵ２０１が外部メモリ２１１等に格納されたプログラムを実行することにより実現される。
【００９３】
ステップＳ１では、画像形成装置３００は、カードリーダ３１０にかざされている健康管理端末４００に、未送信の活動量データが存在するか否かを確認する。未送信の活動量データの存在は、例えば、活動量データに記載されている送信日時に基づいて判断してもよいし、他の方法で判断してもよい。そして、未送信の活動量データが存在しないと判定した場合（Ｓ１でＮｏの場合）、画像形成装置３００は、図６ＣのステップＳ１０２７へ処理を移す。
【００９４】
一方、未送信の活動量データが存在すると判定した場合（Ｓ１でＹｅｓの場合）、画像形成装置３００は、ステップＳ２へ処理を移す。
ステップＳ２では、画像形成装置３００は、上記未送信の活動量データを健康管理端末４００から取得する。
次に、ステップＳ３では、画像形成装置３００は、上記ステップＳ２で取得した活動量データを、外部サーバ２００に送信する。さらに、画像形成装置３００は、該活動量データを送信した日時を、該送信した活動量データの送信日時として、カードリーダ３１０を介して、健康管理端末４００内に記憶されている活動量データ内に書き込む。
【００９５】
ステップＳ３００４において、外部サーバ２００は、画像形成装置３００から活動量データを受信すると、ステップＳ３００５へ処理を移す。
ステップＳ３００５では、外部サーバ２００は、上記ステップＳ３００４で受信した活動量データを、外部サーバ２００が管理する特定の記憶領域に登録し、該登録結果を画像形成装置３００に送信する。
【００９６】
ステップＳ３の後、ステップＳ４において、画像形成装置３００は、該活動量データを送信した日時を、該送信した活動量データの送信日時として、カードリーダ３１０を介して、健康管理端末４００内に記憶されている活動量データ内に書き込む。
次に、ステップＳ５において、画像形成装置３００は、メニュー画面の「活動量データ送信」ボタン９０１が押下されたか否かを確認する。そして、「活動量データ送信」ボタン９０１が押下されたと判定した場合（Ｓ５でＹｅｓの場合）、画像形成装置３００は、ステップＳ７へ処理を移す。
【００９７】
ステップＳ７では、画像形成装置は、活動量データの送信状況を画面に表示する。なお、活動量データの送信完了前（外部サーバ２００から活動量データの登録結果を受信する前）では画面Ｂを表示する。一方、活動量データの送信完了後（外部サーバ２００から活動量データの登録結果を受信した後）では画面Ｃを表示する。ステップＳ７の後、画像形成装置３００は、ステップＳ６へ処理を移す。
【００９８】
一方、「活動量データ送信」ボタン９０１が押下されていないと判定した場合（Ｓ５でＮｏの場合）、画像形成装置３００は、そのままステップＳ６へ処理を移す。
【００９９】
ステップＳ６では、画像形成装置３００は、カードリーダ３１０の読み取り領域から健康管理端末４００（活動量計）が外されたか否かを確認する。
そして、健康管理端末４００（活動量計）が外されていないと判定した場合（Ｓ６でＮｏの場合）、画像形成装置３００は、健康管理端末４００（活動量計）がカードリーダ３１０の読み取り領域から外されるまで、ステップＳ６の処理を継続する。なお、ステップＳ６の処理を継続中であっても、画像形成装置３００は、画像形成装置３００上の操作（コピー、プリント、ログアウト等）に対しても処理を実行可能である。
【０１００】
一方、健康管理端末４００（活動量計）が外されたと判定した場合（Ｓ６でＹｅｓの場合）、画像形成装置３００は、本フローチャートの処理を終了し、ステップＳ１０２７へ処理を移す。
【０１０１】
なお、本実施形態では、健康管理端末４００内の情報を外部サーバ２００に送信する構成について説明したが、健康管理端末４００内のデータに対して画像形成装置３００内で所定の処理を行う構成であってもよい。例えば、健康管理端末４００内のデータを画像形成装置３００のＨＤＤ３００７に格納する、加工する等でもよい。
【０１０２】
以上示したように、実施形態１の画像形成装置３００は、カードリーダ３１０で取得したカードＩＤをもとに、カードリーダ３１０にかざされた情報記憶媒体がログイン中のユーザに対応し、且つ、画像形成装置３００で処理すべきデータ（例えば、外部サーバ２００に送信すべきデータ）を記憶している健康管理端末４００と判定した場合には、ログイン中のユーザのログイン状態を維持可能に制御しつつ、健康管理端末４００が記憶しているデータを処理する（例えば、外部サーバ２００に送信する）ように制御する。この構成により、ログイン中のユーザとは異なるユーザの健康管理端末４００等が画像形成装置のカードリーダにかざされた場合でも、画像形成装置のログイン状態を適切に管理したまま、健康管理端末４００内の情報を適切に処理することができる。よって、画像形成装置３００のログイン状態を適切に管理することができ、ログイン中のユーザおよび健康管理端末４００等を所持する他のユーザの双方の利便性を高めることができる。
【０１０３】
［実施形態２］
図８Ａ〜図８Ｃは、実施形態２のシステムで実行される処理を例示するフローチャートである。なお、図８Ａ〜図８ＣのステップＳ４００１〜Ｓ４０２３、Ｓ４０２６〜Ｓ４０２８、Ｓ４１０１〜Ｓ４１０５、Ｓ４１０７、Ｓ５００１〜Ｓ５００４、Ｓ６００１〜Ｓ６００２は、実施形態１の図６Ａ〜図６ＣのステップＳ１００１〜Ｓ１０２３、Ｓ１０２６〜Ｓ１０２８、Ｓ１１０１〜Ｓ１１０５、Ｓ１１０７、Ｓ２００１〜Ｓ２００４、Ｓ３００１〜Ｓ３００２とそれぞれ同一のステップであるので、説明は省略する。以下、実施形態１と異なる部分のみ説明する。
【０１０４】
実施形態２の図８Ａ〜図８Ｃは、実施形態１の図６Ａ〜図６ＣからステップＳ１０２４，Ｓ１０２５，Ｓ１１０６に対応するステップを除いたものである。即ち、図８ＢのステップＳ４０２３において、画像形成装置３００が、ステップＳ４０１７のカード検知時にかざされた情報記憶媒体が健康管理端末４００（活動量計）であると判定した場合（Ｓ４０２３でＹｅｓの場合）、図８ＣのステップＳ４０２６へ処理を移す。
【０１０５】
上述した実施形態１では、健康管理端末４００をかざされた際に、ユーザに確認画面（例えば図９の画面Ｄ）を表示する構成であった。これは、ログアウトを実行せずに立ち去ったユーザのログイン状態が残ったままの状態の画像形成装置３００に、別のユーザが再ログインすべく健康管理端末４００をかざした場合に、図９の画面Ｄのような確認画面を表示することにより、上記ログイン状態のユーザをログアウトさせて別のユーザがログインでき、健康管理端末４００を用いてログインしたい別のユーザの利便性を高めるためである。
【０１０６】
一方、実施形態２では、図９の画面Ｄのような確認画面を表示せず、ログイン済みのユーザのログイン状態を継続させたまま、健康管理端末４００内の活動量データを処理（例えば外部サーバ２００に送信する）ことができるため、ログイン中が継続して画像形成装置３００を使用でき、ログイン中のユーザの利便性を高めることができる。
【０１０７】
なお、上記各実施形態で説明した健康管理端末４００の代わりに、近距離無線通信機能を有するスマートフォンや携帯電話等の他の装置であってもよい。
【０１０８】
［実施形態３］
実施形態１では、健康管理端末４００を用いて画像形成装置３００にログインをした場合には、カードリーダ３１０が健康管理端末４００を認識している間（カードリーダ３１０に健康管理端末４００がかざされている間）はログイン状態を維持し、カードリーダ３１０が健康管理端末４００を認識できなくなった場合に、ログインしていた画像形成装置３００をログアウトする処理を行った。本実施形態では、ＩＣカードを用いて画像形成装置３００にログインをした場合には、所定の機能を実行不可能に制御し、健康管理端末４００を用いて画像形成装置３００にログインをした場合には、所定の機能を実行可能に制御する処理を行う。また、健康管理端末４００を用いて画像形成装置３００にログインをした場合には、自動的に健康管理端末４００に記憶される活動量データを取得する処理を行う。以下、具体的な処理の流れについて説明する。
【０１０９】
実施形態３は、システム構成、ハードウェア構成、機能構成、画面例、データテーブル等は実施形態１と以下の変更点を除き同様とする。変更点は、図６Ａのフローチャートが図１３にとなる点である。
【０１１０】
図１３は、実施形態３で実行される処理のフローチャートである。
【０１１１】
ステップＳ１００１からステップＳ１０１０までと、ステップＳ１０１２からステップＳ１０１６までとの処理は図６Ａに示すフローチャートと処理の内容は同様であるため説明を省略する。
ステップＳ２００１とステップＳ２００２の処理は図６Ａに示すフローチャートと処理の内容は同様であるため説明を省略する。
ステップＳ３００１とステップＳ３００２の処理は図６Ａに示すフローチャートと処理の内容は同様であるため説明を省略する。
【０１１２】
ステップＳ１０１１では、画像形成装置３００は、画像形成装置３００の特定領域に格納したカードＩＤを参照し、情報記憶媒体の検知時にかざされた情報記憶媒体が活動量計（健康管理端末４００）であるか否かを確認する。ここでは、カードＩＤに健康管理端末４００を示す識別子（本実施形態では上位３ケタが「２２２」）があるか否かで判定するものとするが、カードリーダ３１０を介して取得できる情報であればどのような情報に基づいて確認してもよい。かざされた情報記憶媒体が活動量計（健康管理端末４００）でないと判定された場合には（ステップＳ１０１１でＮｏの場合）、画像形成装置３００はステップＳ１３０１に処理を進める。一方、かざされた情報記憶媒体が活動量計（健康管理端末４００）であると判定された場合には、画像形成装置３００はステップＳ１３０２に処理を進める。
【０１１３】
ステップＳ１３０１では、画像形成装置３００のＣＰＵ３００１は、カードリーダ３１０にかざされた情報記憶媒体の種類に対応するメニュー画面を表示する。ステップＳ１３０１では、健康管理端末４００以外（ＩＣカード）に対応するメニュー画面として制限メニュー画面（例えば図１２に示す画面Ｆである）が表示される。画面Ｆは健康管理端末４００以外の種類の情報記憶媒体でログインされた場合に表示されるメインメニューとして記憶されている画面である。画面Ｆは、健康管理端末４００以外の情報記憶媒体でログインされたときに表示される画面であるので、活動量計データ送信機能１２０１と、活動量計データ印刷機能１２０２とが選択不可能に制御されている。本実施形態では、情報記憶媒体の種類に対応する画面が記憶されており、情報記憶媒体の種類に応じて実行可能な機能と実行不可能な機能とが決められているものとする。上述した実行不可能な機能は例であってこれに限定されるものではない。
【０１１４】
ステップＳ１３０２では、画像形成装置３００のＣＰＵ３００１は、ステップＳ１０１１で、かざされた情報記憶媒体は活動量計（健康管理端末４００）であると判定されたため、健康管理端末４００に対応する種類のメニュー画面である非制限メニュー画面をＨＤＤ３００７から取得し、操作部３０１８に表示させる。非制限メニュー画面の例としては、図９の画面Ａである。画面Ａは、画面Ｆと異なり活動量計データ送信機能と活動量計データ印刷機能が実行可能になっていて、機能に関するアイコンの選択がなされると、アイコンに対応する機能が実行される。
【０１１５】
このように、かざされた情報記憶媒体の種類に対して、実行可能な機能と実行不可能な機能とを特定するための情報を対応付けて記憶しておくことで、画像形成装置３００の管理者がユーザの所有する情報読取媒体すべてに対して権限の設定を行うことなく、簡便に権限の異なる設定を情報読取媒体に対して行うことができるようになる。
例えば、図１４に示す管理テーブル１４００のようにログインに用いられた情報記憶媒体の種類と、ログイン後に実行可能な機能（動作）が対応付けて記憶されている（記憶制御手段）。管理テーブル１４００はログインに用いられた情報記憶媒体の種類１４０１ごとに、ログイン後の動作や機能について管理するデータテーブルである。例えばカードリーダで情報記憶媒体が読み取れなくなった場合の動作１４０２は、ＩＣカードの場合にはログアウトしないが、健康管理端末の場合にはログアウトするというように記憶されている。別の例としては、カードリーダで情報記憶媒体が読み取れなくなった場合の動作１４０３は、ＩＣカードの場合には操作画面をロックしないが、健康管理端末の場合には画面をロックするというように記憶されている。別の例としては、カードリーダで情報記憶媒体が読み取れなくなった場合の動作１４０４は、ＩＣカードの場合は常に機微情報をマスク表示しているが、健康管理端末の場合には、健康管理端末がカードリーダで読み取れる間は機微情報のマスク表示を解除し、健康管理端末が読み取れなくなった場合には機微情報をマスク表示する。また別の例としては、ログイン後の動作１４０５として、ＩＣカードの場合にはログイン後に何も自動で実行することはしないが、健康管理端末の場合には自動で健康管理端末から活動量データを取得して外部サーバに送信することが記憶されている。また別の例としては、ログイン後に表示されるメインメニュー１４０６は、ＩＣカードに対応するメインメニュー（特定の機能が無効になっている）と健康管理端末に対応するメインメニューとがそれぞれ記憶されている。ログインされた情報記憶媒体の種類に応じて異なるメインメニューが表示される。
図１４では説明のため動作の内容や機能の内容をテーブル内に保持しているが、動作の内容や機能の内容を識別する情報が入っていてもよい。図１４の管理テーブル１４００は説明のためのテーブルであり、例に過ぎない。また、管理テーブル１４００ではログインに用いられた媒体の種類に応じて実行可能な機能を対応付けて管理しているが、該媒体の種類に応じて実行不可能な機能を対応付けて管理するようにしてもよい。その場合、ログインに用いられた媒体の種類で実行可能に記憶される機能を実行可能に制御させ、実行不可能に記憶される機能を実行不可能に制御するようにしても構わない。
【０１１６】
ステップＳ１３０３では、画像形成装置３００のＣＰＵ３００１は、ステップＳ１１０１でかざされた情報記憶媒体が活動量計であると判定されたため、活動量計に蓄積された活動量データを取得する処理を行う。
【０１１７】
このように、ユーザからの指示を受け付けることなくかざされた情報記憶媒体の種類に対応する機能について自動的に実行することで、ユーザの手間を軽減する効果がある。
【０１１８】
以上で、図１３に示す実施形態３の処理の流れを示すフローチャートの説明を終了する。
【０１１９】
以上示したように、本発明によれば、情報処理装置へのログインするための情報記憶媒体の種類に応じて、ログイン後の情報処理装置で適切な機能を提供することができる。
【０１２０】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施形態を組み合わせた構成も全て本発明に含まれるものである。
【０１２１】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施形態に限定されるものではなく、本発明の趣旨に基づき種々の変形（各実施形態の有機的な組合せを含む）が可能であり、それらを本発明の範囲から除外するものではない。即ち、上述した各実施形態及びその変形例を組み合わせた構成も全て本発明に含まれるものである。
【０１２２】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。なお、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【０１２３】
したがって、本発明の機能処理を情報処理装置で実現するために、前記情報処理装置にインストールされるプログラムコード自体も本発明を実現するものである。つまり、本発明は、本発明の機能処理を実現するためのコンピュータプログラム自体も含まれる。
【０１２４】
その場合、プログラムの機能を有していれば、オブジェクトコード、インタプリタにより実行されるプログラム、ＯＳに供給するスクリプトデータ等の形態であってもよい。
【０１２５】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１２６】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１２７】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【０１２８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【０１２９】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【０１３０】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１３１】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１３２】
１００    認証サーバ
２００    外部サーバ
３００    画像形成装置
３１０    カードリーダ
４００    健康管理端末
【図１】
2018075821.tif 000003
【図２】
2018075821.tif 000004
【図３】
2018075821.tif 000005
【図４】
2018075821.tif 000006
【図５】
2018075821.tif 000007
【図６Ａ】
2018075821.tif 000008
【図６Ｂ】
2018075821.tif 000009
【図６Ｃ】
2018075821.tif 000010
【図７】
2018075821.tif 000011
【図８Ａ】
2018075821.tif 000012
【図８Ｂ】
2018075821.tif 000013
【図８Ｃ】
2018075821.tif 000014
【図９】
2018075821.tif 000015
【図１０】
2018075821.tif 000016
【図１１】
2018075821.tif 000017
【図１２】
2018075821.tif 000018
【図１３】
2018075821.tif 000019
【図１４】
2018075821.tif 000020
【手続補正書】
【提出日】平成29年12月11日(2017.12.11)
【手続補正１】
【補正対象書類名】明細書
【補正対象項目名】００１０
【補正方法】変更
【補正の内容】
【００１０】
本発明は、情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、前記第１種類の前記情報記憶媒体によるログインと前記第２種類の情報記憶媒体によるログインとでログイン後の前記情報処理装置で実行可能な機能が異なるように、前記第１種類の前記情報記憶媒体と前記第２種類の情報記憶媒体とに前記機能を対応付けて記憶する記憶手段と、前記ログイン制御手段でのログインで用いられた情報記憶媒体の種類に対応して前記記憶手段で実行可能に記憶される前記機能を、前記情報処理装置のログイン後に実行可能に制御する制御手段とを備えることを特徴とする。
【手続補正２】
【補正対象書類名】特許請求の範囲
【補正対象項目名】全文
【補正方法】変更
【補正の内容】
【特許請求の範囲】
【請求項１】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行可能に記憶される前記機能を、前記情報処理装置のログイン後に実行可能に制御する制御手段と
を備えることを特徴とする情報処理装置。
【請求項２】
前記記憶手段は、前記第１種類に前記計測部で計測された前記データを取得して外部サーバに送信する機能を対応付けて記憶しており、
前記制御手段は、前記ログインで用いられた情報記憶媒体の種類が前記第１種類である場合には、前記計測部で計測された前記データを取得して外部サーバに送信する機能を実行するよう制御すること
を特徴とする請求項１に記載の情報処理装置。
【請求項３】
前記情報処理装置は、前記情報記憶媒体から情報を読み取り可能な読取部と通信可能な情報処理装置であって、
前記記憶手段は、前記第１種類の情報記憶媒体には前記読取部で前記情報記憶媒体から前記ログイン情報が読み取れなくなった場合に情報処理装置のログイン状態をログアウトさせる機能を対応付け、前記第２種類の情報記憶媒体では前記読み取り部で前記情報記憶媒体から前記ログイン情報が読み取れなくなった場合でもログアウトさせない機能を対応付けて記憶すること
を特徴とする請求項１または２に記載の情報処理装置。
【請求項４】
前記読取部で前記情報記憶媒体から前記ログイン情報が読み取れなくなった場合とは、前記読取部で前記情報記憶媒体の前記ログイン情報が取得できなくなって所定時間経過した場合であること
を特徴とする請求項３に記載の情報処理装置。
【請求項５】
前記記憶手段は、前記第１種類の前記情報記憶媒体によるログインと前記第２種類の情報記憶媒体によるログインとでログイン後の前記情報処理装置で実行不可能な機能が異なるように、前記第１種類の前記情報記憶媒体と前記第２種類の情報記憶媒体とに前記機能を対応付けて記憶しており、
前記制御手段は、前記情報処理装置のログインの後に、当該ログインに用いられた前記情報記憶媒体の種類に対応して前記記憶手段で実行可能に記憶される機能を実行可能に制御し、当該種類に対応して前記記憶手段で実行不可能に記憶される機能を実行不可能に制御すること
を特徴とする請求項１乃至４のいずれか１項に記載の情報処理装置。
【請求項６】
第１種類の情報記憶媒体によるログインと第２種類の情報記憶媒体によるログインとでログイン後の情報処理装置で実行可能な機能が異なるように、前記第１種類の前記情報記憶媒体と前記第２種類の情報記憶媒体とに前記機能を対応付けて記憶する記憶手段を備える情報処理装置の制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行可能に記憶される前記機能を、前記情報処理装置のログイン後に実行可能に制御する制御ステップと
を含むことを特徴とする情報処理装置の制御方法。
【請求項７】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行可能に記憶される前記機能を、前記情報処理装置のログイン後に実行可能に制御する制御手段と
を備えることを特徴とする情報処理システム。
【請求項８】
第１種類の情報記憶媒体によるログインと第２種類の情報記憶媒体によるログインとでログイン後の情報処理装置で実行可能な機能が異なるように、前記第１種類の前記情報記憶媒体と前記第２種類の情報記憶媒体とに前記機能を対応付けて記憶する記憶手段を備える情報処理装置を含む情報処理システムの制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行可能に記憶される前記機能を、前記情報処理装置のログイン後に実行可能に制御する制御ステップと
を含むことを特徴とする情報処理システムの制御方法。
【請求項９】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行不可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行不可能に記憶される前記機能を、前記情報処理装置のログイン後に実行不可能に制御する制御手段と
を備えることを特徴とする情報処理装置。
【請求項１０】
第１種類の情報記憶媒体によるログインと第２種類の情報記憶媒体によるログインとでログイン後の情報処理装置で実行不可能な機能が異なるように、前記第１種類の前記情報記憶媒体と前記第２種類の情報記憶媒体とに前記機能を対応付けて記憶する記憶手段を備える情報処理装置の制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行不可能に記憶される前記機能を、前記情報処理装置のログイン後に実行不可能に制御する制御ステップと
を含むことを特徴とする情報処理装置の制御方法。
【請求項１１】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行不可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行不可能に記憶される前記機能を、前記情報処理装置のログイン後に実行不可能に制御する制御手段と
を備えることを特徴とする情報処理システム。
【請求項１２】
第１種類の情報記憶媒体によるログインと第２種類の情報記憶媒体によるログインとでログイン後の情報処理装置で実行不可能な機能が異なるように、前記第１種類の前記情報記憶媒体と前記第２種類の情報記憶媒体とに前記機能を対応付けて記憶する記憶手段を備える情報処理装置を含む情報処理システムの制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行不可能に記憶される前記機能を、前記情報処理装置のログイン後に実行不可能に制御する制御ステップと
を含むことを特徴とする情報処理システムの制御方法。
【請求項１３】
情報処理装置にログインするためのログイン情報を記憶する複数種類の情報記憶媒体のいずれかを用いたログインであっても、同一のユーザとして情報処理装置にログインさせるよう制御するログイン制御手段と、
前記情報記憶媒体の種類と、ログイン後の前記情報処理装置で実行可能な機能とを対応付けて記憶する記憶手段と、
前記ログイン制御手段で前記ユーザとしてログインされた情報処理装置を、前記ログインに用いられた情報記憶媒体の種類に前記記憶手段で対応づけて記憶される機能が実行可能に制御する制御手段と
を備えることを特徴とする情報処理装置。
【請求項１４】
前記制御手段は、前記情報処理装置を、前記ログインに用いられた情報記憶媒体の種類に応じて、情報記憶媒体から取得されたデータを外部サーバに送信する機能を実行可能に制御することを特徴とする請求項１３に記載の情報処理装置。
【請求項１５】
前記情報処理装置は、前記情報記憶媒体から情報を読み取り可能な読取部と通信可能な情報処理装置であって、
前記制御手段は、前記情報処理装置を、前記ログインに用いられた情報記憶媒体の種類に応じて、前記読取部で前記情報記憶媒体から情報が読み取れなくなった場合に情報処理装置のとグイン状態をログアウトさせることを特徴とする請求項１３または１４に記載の情報処理装置。
【請求項１６】
情報記憶媒体の種類と、ログイン後の情報処理装置で実行可能な機能とを対応付けて記憶する記憶手段を備える前記情報処理装置の制御方法であって、
情報処理装置にログインするためのログイン情報を記憶する複数種類の情報記憶媒体のいずれかを用いたログインであっても、同一のユーザとして情報処理装置にログインさせるよう制御するログイン制御ステップと、
前記ログイン制御ステップで前記ユーザとしてログインされた情報処理装置を、前記ログインに用いられた情報記憶媒体の種類に前記記憶手段で対応づけて記憶される機能が実行可能に制御する制御ステップと
を含むことを特徴とする情報処理装置の制御方法。
【請求項１７】
情報処理装置にログインするためのログイン情報を記憶する複数種類の情報記憶媒体のいずれかを用いたログインであっても、同一のユーザとして情報処理装置にログインさせるよう制御するログイン制御手段と、
前記情報記憶媒体の種類と、ログイン後の前記情報処理装置で実行可能な機能とを対応付けて記憶する記憶手段と、
前記ログイン制御手段で前記ユーザとしてログインされた情報処理装置を、前記ログインに用いられた情報記憶媒体の種類に前記記憶手段で対応づけて記憶される機能が実行可能に制御する制御手段と
を備えることを特徴とする情報処理システム。
【請求項１８】
情報記憶媒体の種類と、ログイン後の情報処理装置で実行可能な機能とを対応付けて記憶する記憶手段を備える前記情報処理装置を含む情報処理システムの制御方法であって、
情報処理装置にログインするためのログイン情報を記憶する複数種類の情報記憶媒体のいずれかを用いたログインであっても、同一のユーザとして情報処理装置にログインさせるよう制御するログイン制御ステップと、
前記ログイン制御ステップで前記ユーザとしてログインされた情報処理装置を、前記ログインに用いられた情報記憶媒体の種類に前記記憶手段で対応づけて記憶される機能が実行可能に制御する制御ステップと
を含むことを特徴とする情報処理システムの制御方法。
【請求項１９】
コンピュータを請求項１乃至５、請求項９、請求項１３乃至１５、のいずれか１項に記載の情報処理装置の各手段として機能させるためのプログラム。
【請求項２０】
コンピュータを請求項７、１１、１７のいずれか１項に記載の情報処理システムの各手段として機能させるためのプログラム。
【手続補正書】
【提出日】平成30年2月16日(2018.2.16)
【手続補正１】
【補正対象書類名】明細書
【補正対象項目名】００１０
【補正方法】変更
【補正の内容】
【００１０】
本発明は、情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、前記第１種類の前記情報記憶媒体によるログインと前記第２種類の情報記憶媒体によるログインとでログイン後の前記情報処理装置で実行可能な機能が異なるように、前記第１種類の前記情報記憶媒体と前記第２種類の情報記憶媒体とに前記機能を対応付けて記憶する記憶手段と、前記ログイン制御手段でのログインで用いられた情報記憶媒体の種類に対応して前記記憶手段で実行可能に記憶される前記機能を、前記情報処理装置のログイン後に実行可能に制御する制御手段とを備え、前記制御手段は、前記ログインで用いられた情報記憶媒体の種類が前記第１種類である場合には、前記計測部で計測された前記データを当該情報記憶媒体から取得する機能を実行可能に制御することを特徴とする。
【手続補正２】
【補正対象書類名】特許請求の範囲
【補正対象項目名】全文
【補正方法】変更
【補正の内容】
【特許請求の範囲】
【請求項１】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行可能に記憶される前記機能を、前記情報処理装置のログイン後に実行可能に制御する制御手段と
を備え、
前記制御手段は、前記ログインで用いられた情報記憶媒体の種類が前記第１種類である場合には、前記計測部で計測された前記データを当該情報記憶媒体から取得する機能を実行可能に制御することを特徴とする情報処理装置。
【請求項２】
前記記憶手段は、前記第１種類に前記計測部で計測された前記データを取得して外部サーバに送信する機能を対応付けて記憶しており、
前記制御手段は、前記ログインで用いられた情報記憶媒体の種類が前記第１種類である場合には、前記計測部で計測された前記データを取得して外部サーバに送信する機能を実行するよう制御すること
を特徴とする請求項１に記載の情報処理装置。
【請求項３】
前記情報処理装置は、前記情報記憶媒体から情報を読み取り可能な読取部と通信可能な情報処理装置であって、
前記記憶手段は、前記第１種類の情報記憶媒体には前記読取部で前記情報記憶媒体から前記ログイン情報が読み取れなくなった場合に情報処理装置のログイン状態をログアウトさせる機能を対応付け、前記第２種類の情報記憶媒体では前記読み取り部で前記情報記憶媒体から前記ログイン情報が読み取れなくなった場合でもログアウトさせない機能を対応付けて記憶すること
を特徴とする請求項１または２に記載の情報処理装置。
【請求項４】
前記読取部で前記情報記憶媒体から前記ログイン情報が読み取れなくなった場合とは、前記読取部で前記情報記憶媒体の前記ログイン情報が取得できなくなって所定時間経過した場合であること
を特徴とする請求項３に記載の情報処理装置。
【請求項５】
前記記憶手段は、前記第１種類の前記情報記憶媒体によるログインと前記第２種類の情報記憶媒体によるログインとでログイン後の前記情報処理装置で実行不可能な機能が異なるように、前記第１種類の前記情報記憶媒体と前記第２種類の情報記憶媒体とに前記機能を対応付けて記憶しており、
前記制御手段は、前記情報処理装置のログインの後に、当該ログインに用いられた前記情報記憶媒体の種類に対応して前記記憶手段で実行可能に記憶される機能を実行可能に制御し、当該種類に対応して前記記憶手段で実行不可能に記憶される機能を実行不可能に制御すること
を特徴とする請求項１乃至４のいずれか１項に記載の情報処理装置。
【請求項６】
第１種類の情報記憶媒体によるログインと第２種類の情報記憶媒体によるログインとでログイン後の情報処理装置で実行可能な機能が異なるように、前記第１種類の前記情報記憶媒体と前記第２種類の情報記憶媒体とに前記機能を対応付けて記憶する記憶手段を備える情報処理装置の制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行可能に記憶される前記機能を、前記情報処理装置のログイン後に実行可能に制御する制御ステップとを含み、
前記制御ステップは、前記ログインで用いられた情報記憶媒体の種類が前記第１種類である場合には、前記計測部で計測された前記データを当該情報記憶媒体から取得する機能を実行可能に制御すること
を特徴とする情報処理装置の制御方法。
【請求項７】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行可能に記憶される前記機能を、前記情報処理装置のログイン後に実行可能に制御する制御手段と
を備え、
前記制御手段は、前記ログインで用いられた情報記憶媒体の種類が前記第１種類である場合には、前記計測部で計測された前記データを当該情報記憶媒体から取得する機能を実行可能に制御することを特徴とする情報処理システム。
【請求項８】
第１種類の情報記憶媒体によるログインと第２種類の情報記憶媒体によるログインとでログイン後の情報処理装置で実行可能な機能が異なるように、前記第１種類の前記情報記憶媒体と前記第２種類の情報記憶媒体とに前記機能を対応付けて記憶する記憶手段を備える情報処理装置を含む情報処理システムの制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行可能に記憶される前記機能を、前記情報処理装置のログイン後に実行可能に制御する制御ステップとを含み、
前記制御ステップは、前記ログインで用いられた情報記憶媒体の種類が前記第１種類である場合には、前記計測部で計測された前記データを当該情報記憶媒体から取得する機能を実行可能に制御することを特徴とする情報処理システムの制御方法。
【請求項９】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行不可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行不可能に記憶される前記機能を、前記情報処理装置のログイン後に実行不可能に制御する制御手段と
を備え、
前記制御手段は、前記ログインで用いられた情報記憶媒体の種類が前記第２種類である場合には、前記計測部で計測された前記データを当該情報記憶媒体から取得する機能を実行不可能に制御することを特徴とする情報処理装置。
【請求項１０】
第１種類の情報記憶媒体によるログインと第２種類の情報記憶媒体によるログインとでログイン後の情報処理装置で実行不可能な機能が異なるように、前記第１種類の前記情報記憶媒体と前記第２種類の情報記憶媒体とに前記機能を対応付けて記憶する記憶手段を備える情報処理装置の制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行不可能に記憶される前記機能を、前記情報処理装置のログイン後に実行不可能に制御する制御ステップとを含み、
前記制御ステップは、前記ログインで用いられた情報記憶媒体の種類が前記第２種類である場合には、前記計測部で計測された前記データを当該情報記憶媒体から取得する機能を実行不可能に制御することを特徴とする情報処理装置の制御方法。
【請求項１１】
情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御手段と、
前記第１種類の前記情報記憶媒体によるログインと前記第２種類の情報記憶媒体によるログインとでログイン後の前記情報処理装置で実行不可能な機能が異なるように、前記第１種類の前記情報記憶媒体と前記第２種類の情報記憶媒体とに前記機能を対応付けて記憶する記憶手段と、
前記ログイン制御手段でのログインで用いられた情報記憶媒体の種類に対応して前記記憶手段で実行不可能に記憶される前記機能を、前記情報処理装置のログイン後に実行不可能に制御する制御手段とを備え、
前記制御手段は、前記ログインで用いられた情報記憶媒体の種類が前記第２種類である場合には、前記計測部で計測された前記データを当該情報記憶媒体から取得する機能を実行不可能に制御することを特徴とする情報処理システム。
【請求項１２】
第１種類の情報記憶媒体によるログインと第２種類の情報記憶媒体によるログインとでログイン後の情報処理装置で実行不可能な機能が異なるように、前記第１種類の前記情報記憶媒体と前記第２種類の情報記憶媒体とに前記機能を対応付けて記憶する記憶手段を備える情報処理装置を含む情報処理システムの制御方法であって、
前記情報処理装置にログインするためのログイン情報を記憶する情報記憶媒体であって、データを計測する計測部を備える種類である第１種類と、前記計測部を備えない第２種類との前記情報記憶媒体のいずれかから当該ログイン情報を取得することで、情報処理装置にログインさせるよう制御するログイン制御ステップと、
前記ログイン制御ステップでのログインで用いられた情報記憶媒体の種類に対応して前記記憶手段で実行不可能に記憶される前記機能を、前記情報処理装置のログイン後に実行不可能に制御する制御ステップとを含み、
前記制御手段は、前記ログインで用いられた情報記憶媒体の種類が前記第２種類である場合には、前記計測部で計測された前記データを当該情報記憶媒体から取得する機能を実行不可能に制御することを特徴とする情報処理システムの制御方法。
【請求項１３】
情報処理装置にログインするためのログイン情報を記憶する複数種類の情報記憶媒体のいずれかを用いたログインであっても、同一のユーザとして情報処理装置にログインさせるよう制御するログイン制御手段と、
前記情報記憶媒体の種類と、ログイン後の前記情報処理装置で実行可能な機能とを対応付けて記憶する記憶手段と、
前記ログイン制御手段で前記ユーザとしてログインされた情報処理装置を、前記ログインに用いられた情報記憶媒体の種類に前記記憶手段で対応づけて記憶される機能が実行可能に制御する制御手段とを備え、
前記情報記憶媒体の種類には、前記ログイン情報と異なるデータを記憶する種類の情報記憶媒体を含み、
前記制御手段は、前記ログインに用いられた情報記憶媒体の種類が前記ログイン情報と異なるデータを記憶する種類である場合には、前記データを当該情報記憶媒体から取得する機能を実行可能に制御する
ことを特徴とする情報処理装置。
【請求項１４】
前記制御手段は、前記情報処理装置を、前記ログインに用いられた情報記憶媒体の種類に応じて、情報記憶媒体から取得されたデータを外部サーバに送信する機能を実行可能に制御することを特徴とする請求項１３に記載の情報処理装置。
【請求項１５】
前記情報処理装置は、前記情報記憶媒体から情報を読み取り可能な読取部と通信可能な情報処理装置であって、
前記制御手段は、前記情報処理装置を、前記ログインに用いられた情報記憶媒体の種類に応じて、前記読取部で前記情報記憶媒体から情報が読み取れなくなった場合に情報処理装置のログイン状態をログアウトさせることを特徴とする請求項１３または１４に記載の情報処理装置。
【請求項１６】
情報記憶媒体の種類と、ログイン後の情報処理装置で実行可能な機能とを対応付けて記憶する記憶手段を備える前記情報処理装置の制御方法であって、
情報処理装置にログインするためのログイン情報を記憶する複数種類の情報記憶媒体のいずれかを用いたログインであっても、同一のユーザとして情報処理装置にログインさせるよう制御するログイン制御ステップと、
前記ログイン制御ステップで前記ユーザとしてログインされた情報処理装置を、前記ログインに用いられた情報記憶媒体の種類に前記記憶手段で対応づけて記憶される機能が実行可能に制御する制御ステップとを含み、
前記情報記憶媒体の種類には、前記ログイン情報と異なるデータを記憶する種類の情報記憶媒体を含み、
前記制御ステップは、前記ログインに用いられた情報記憶媒体の種類が前記ログイン情報と異なるデータを記憶する種類である場合には、前記データを当該情報記憶媒体から取得する機能を実行可能に制御することを特徴とする情報処理装置の制御方法。
【請求項１７】
情報処理装置にログインするためのログイン情報を記憶する複数種類の情報記憶媒体のいずれかを用いたログインであっても、同一のユーザとして情報処理装置にログインさせるよう制御するログイン制御手段と、
前記情報記憶媒体の種類と、ログイン後の前記情報処理装置で実行可能な機能とを対応付けて記憶する記憶手段と、
前記ログイン制御手段で前記ユーザとしてログインされた情報処理装置を、前記ログインに用いられた情報記憶媒体の種類に前記記憶手段で対応づけて記憶される機能が実行可能に制御する制御手段とを備え、
前記情報記憶媒体の種類には、前記ログイン情報と異なるデータを記憶する種類の情報記憶媒体を含み、
前記制御手段は、前記ログインに用いられた情報記憶媒体の種類が前記ログイン情報と異なるデータを記憶する種類である場合には、前記データを当該情報記憶媒体から取得する機能を実行可能に制御することを特徴とする情報処理システム。
【請求項１８】
情報記憶媒体の種類と、ログイン後の情報処理装置で実行可能な機能とを対応付けて記憶する記憶手段を備える前記情報処理装置を含む情報処理システムの制御方法であって、
情報処理装置にログインするためのログイン情報を記憶する複数種類の情報記憶媒体のいずれかを用いたログインであっても、同一のユーザとして情報処理装置にログインさせるよう制御するログイン制御ステップと、
前記ログイン制御ステップで前記ユーザとしてログインされた情報処理装置を、前記ログインに用いられた情報記憶媒体の種類に前記記憶手段で対応づけて記憶される機能が実行可能に制御する制御ステップとを含み、
前記情報記憶媒体の種類には、前記ログイン情報と異なるデータを記憶する種類の情報記憶媒体を含み、
前記制御手段は、前記ログインに用いられた情報記憶媒体の種類が前記ログイン情報と異なるデータを記憶する種類である場合には、前記データを当該情報記憶媒体から取得する機能を実行可能に制御することを特徴とする情報処理システムの制御方法。
【請求項１９】
コンピュータを請求項１乃至５、請求項９、請求項１３乃至１５、のいずれか１項に記載の情報処理装置の各手段として機能させるためのプログラム。
【請求項２０】
コンピュータを請求項７、１１、１７のいずれか１項に記載の情報処理システムの各手段として機能させるためのプログラム。